(57)【要約】【課題】従来のポケットティッシューは、袋の取り出し口から中の家庭用薄葉紙を取り出すのに、一般のボックスティッシューに比べて、袋の中に手を入れて紙をつかみ出しにくかった。一般に、ボックスに収納されている家庭用薄葉紙は一枚一枚が交互に重ね合わされているため、一枚を取り出すと次の一枚の一部が箱の外に出てくる。ところがポケットティッシューは一枚一枚が個別に折り畳まれているため、次の紙が外に出てこない。さらに、取り出した一枚のティッシュー（薄葉紙）を使うには小さく折り畳まれている部分を開かなければならないので、手間が掛かる。【解決手段】袋から紙を取り出してから、全開するまでにもう一度開かなくても良いためには、家庭用薄葉紙を二つ折りで袋に入れ、次に袋自体を三つ折りにするのが最適である。【選択図】図１
2019085173.tif 000002
【特許請求の範囲】
【請求項１】
交互に一方向に折り畳まれた複数の家庭用薄葉紙（２０）を入れた袋（２１）を、さらに長辺方向に複数回、短辺方向には折らないか、複数回折る。折る向きは、薄葉紙を引き出すための袋中心部の開口部（３）または（１３）を内側にする方向とした袋入り家庭用薄葉紙。
【請求項２】
交互に一方向に折り畳まれた複数の家庭用薄葉紙（２０）を入れた袋（２１）を、さらに長辺方向に二ヶ所を折る。袋を折る向きを、薄葉紙を引き出すための袋中心部の開口部（３）または（１３）を内側にする方向とした三つ折りの袋入り家庭用薄葉紙。
【請求項３】
袋を複数回折った後、袋の最開放端部を開閉可能に固定するために、粘着部材を最開放端部に付属した請求項１、請求項２に記載の袋入り家庭用薄葉紙。
【請求項４】
袋を複数回折った後、袋の最開放端部を開閉可能に固定するために、袋の開放先端部を、先端部に相対する面に設けたバンド部に差し込めるようにした請求項１、請求項２に記載の袋入り家庭用薄葉紙。
【請求項５】
薄葉紙を使い終わった後も薄葉紙を詰め替えて袋を再利用できるように、袋をやや丈夫な布やプラスチックス製とした、請求項１から４に記載の形態である家庭用薄葉紙用の袋。
【発明の詳細な説明】
【技術分野】
【０００１】  本発明は、家庭用薄葉紙を袋から取り出しやすく、取り出したらすぐ使えるようにした携帯型の袋入り家庭用薄葉紙に関する。
【背景技術】
【０００２】  携帯型袋入り家庭用薄葉紙としてポケットティッシューがある。ポケットに入れられるように小さく折り畳まれた薄葉紙が、プラスチック系の可撓性フィルムや布製などの袋に収納されている。
【先行技術文献】
【特許文献】
【０００３】
【特許文献１】特開２００８−１８３０３４号公報
【発明の概要】
【発明が解決しようとする課題】
【０００４】  従来のポケットティッシューは、袋の取り出し口から中の家庭用薄葉紙を取り出すのに、一般のボックスティッシューに比べて、袋の中に手を入れて紙をつかみにくかった。ちなみに長さ２５ｃｍ前後×幅１２ｃｍ×高さ６ｃｍ前後のボックスに収納されている家庭用薄葉紙は、一般に一枚一枚が交互に重ねあわされているため、一枚を取り出すと次の一枚の一部が箱の外に出てくる。ところがポケットティッシューは一般に一枚一枚が個別に折り畳まれているため、次の紙が外に出てこない。ここで、一枚と記したのは１回に使用する単位を表し、製品によっては二枚づつ以上が一回分となっている場合もある。【０００５】  さらに、取り出した一枚、或いは一回分のポケットティッシューを使うには小さく折り畳まれている部分を開かなければならないので、手間が掛かる。【０００６】  そこで、この発明は、ボックスティッシューと同様に、袋から家庭用薄葉紙を取り出しやすく、取り出したら直ぐに使える広さに開けるポケットティッシューを収納する携帯用袋を提供することを課題とする。
【課題を解決するための手段】
【０００７】  請求項２は、請求項１における家庭用薄葉紙を入れた袋２１の折り数が特殊な場合で、長辺方向に三つ折り、短辺方向にはそのまま（袋の折り数はゼロ）にした場合である。以下、請求項２について説明するが、請求項１については袋の折数を適宜変更することで実現できる。
請求項に記載の「交互に一方向に折り畳まれた」という文中の「一方向」の意味は、袋に入れる前の薄葉紙の折り畳み方向が、紙の縦方向あるいは横方向のいずれか一方である事を指す。【０００８】  請求項２の袋入り家庭用薄葉紙は、可撓性フィルム等により形成されて、内部に収容部が設けられた袋本体２１と、その袋本体の前記収容部に収容された、折り畳んで交互に重ね合わされた家庭用薄葉紙２０を含み、袋の中央部に設けられた開口部３或いは１３を開いて前記家庭用薄葉紙を引き出すことで、交互に折り込まれた次の紙が順に引き出される。開口部３或いは１３はスリットあるいは二枚重ねのシートで構成され、開いた状態の袋の長手方向の中央部に適宜の長さで設けられる。【０００９】  家庭用薄葉紙を収納した袋を更に長辺方向に二ヶ所折り目を付け、開口部３或いは１３が内側になる方向に三つ折りにできるようにする。折り目は、折った部分に圧力を掛けることで形成できる。
【発明の効果】
【００１０】  本発明においては、ポケットに入る程度に折り畳んだ家庭用薄葉紙携帯袋から、薄葉紙を一枚または一組づつ取り出すことができ、取り出した後はボックスティッシューの場合と同様に、そのまま折り目を全部開いた大きさの薄葉紙を使うことが出来る。
【図面の簡単な説明】
【００１１】
【図１】実施例１の構造及び作用を示す斜視図である。
【図２】実施例１で、三つ折りの途中過程を示す斜視図である。
【図３】実施例２の構造及び作用を示す斜視図である。
【図４】実施例２で、三つ折りの途中過程を示す斜視図である。
【図５】図１及び図２におけるＡ−Ａ線断面を模式的に示した図である。
【発明を実施するための形態】
【００１２】  この発明の実施例を図１ないし図５に示す。
一般に使われているボックスティッシューやポケットティッシューは、薄葉紙の折り目を全部開いた時の大きさの例が、概ね１９ｃｍ×１９ｃｍ、あるいは２０ｃｍ×２３ｃｍ前後である。袋から薄葉紙を取り出した後、全開にするのにもう一度開かなくても良いためには、薄葉紙２０を二つ折りで袋に入れ、次に袋自体を図１、図３のように三つ折りにするのが最適である。二つ折りの薄葉紙２０を重ねて、袋から次々に引き出す方法は、例として図５の畳み方による。
【００１３】実施例１
図１・図２に基づいて実施例１を説明する。三つ折りにしたポケットティッシューを、そのままポケットなどに入れて持ち運びできるが、三つ折りをより堅固にするためには、三つ折り後繰り返して開閉可能に固定できる粘着部２ａ或いは２ｂを設ける。
【００１４】  袋２１のみを、やや丈夫な布やプラスチック製などの単独製品として、薄葉紙を詰め替えて使用することもできる。
【００１５】実施例２
図３・図４に基づいて実施例２を説明する。三つ折りにした請求項２の袋の開放先端部を、先端部に相対する面に設けたバンド１２に差し込むことで固定される。
【符号の説明】
【００１６】    １  袋入り家庭用薄葉紙
２ａ  粘着部
２ｂ  粘着部
３  開口部
１１  袋入り家庭用薄葉紙
１２  バンド
１３  開口部
２０  家庭用薄葉紙
２１  袋本体
【図１】
2019085173.tif 000003
【図２】
2019085173.tif 000004
【図３】
2019085173.tif 000005
【図４】
2019085173.tif 000006
【図５】
2019085173.tif 000007